(57)【要約】【課題】本考案は、人体工学に符合し、優れた弾性をもつため、長時間座っていても疲れにくい竹製弾性椅子を提供する。【解決手段】複数の長い棒状の外側竹材と、複数の長い棒状の内側竹材とによって構成する。前記外側竹材と内側竹材はコ形状を呈し、内側竹材の外周サイズは外側竹材の内周サイズより小さく、外側竹材と内側竹材のコ形の対向する両側辺は、外側方向に凸出する弧形辺を形成し、両側辺が連結する上辺は、内側方向に凹む凹弧面を形成し、前記内側竹材と外側竹材を相互に重ねることで椅子ユニットが形成され、椅子ユニットを平行に配列するとともに、前記内側竹材と外側竹材の間に、複数の長棒状の第一補強部材と複数の長棒状の第二補強部材を設ける。前記第一補強部材と第二補強部材によって椅子ユニットの外側竹材と内側竹材の間は挟層空間が形成される。【選択図】図１
0003165182.tif 000002
【実用新案登録請求の範囲】
【請求項１】
複数の長い棒状の外側竹材と、複数の長い棒状の内側竹材とによって構成する、人体工学に符合した竹製弾性椅子であって、
前記外側竹材と内側竹材はコ形状を呈し、内側竹材の外周サイズは外側竹材の内周サイズより小さく、外側竹材と内側竹材のコ形の対向する両側辺は、外側方向に凸出する弧形辺を形成し、両側辺が連結する上辺は、内側方向に凹む凹弧面を形成し、前記内側竹材と外側竹材を相互に重ねることで椅子ユニットが形成され、
椅子ユニットを平行に配列するとともに、前記内側竹材と外側竹材の間に、複数の長棒状の第一補強部材と複数の長棒状の第二補強部材を設け、前記第一補強部材と第二補強部材によって椅子ユニットの外側竹材と内側竹材の間は挟層空間が形成され、前記第一補強部材は、前記内側竹材と外側竹材の側辺の上方に近い箇所であり且つ角の曲がった位置を超えない箇所に設けられ、前記第二補強部材は、前記内側竹材と外側竹材側辺の下端位置に設けられ、
前記内側竹材と外側竹材の二つの凹弧面の間の挟層空間により、外側竹材に、上下方向の弾性スペースが提供されることを特徴とする、竹製弾性椅子。
【請求項２】
前記椅子上方の一辺に背もたれが設けられ、前記背もたれは、複数の縦方向竹材を平行に配列し、さらに前記縦方向竹材上端に横向きの竹材を設けてなることを特徴とする、請求項１に記載の竹製弾性椅子。
【請求項３】
前記椅子の対向する両側に、辺縁が弧状の透空空間が設けられ、前記二つの透空空間辺縁の外側竹材と内側竹材の間には、透空空間辺縁形状に対応する長い棒状の第三補強部材が穿設され、前記二つの第三補強部材の一端は椅子後方まで延伸して椅子の二本の後方支持脚になり、前記椅子前方両側の一対の外側竹材と内側竹材は、椅子の二本の前方支持脚を形成すことを特徴とする、請求項１に記載の竹製弾性椅子。
【考案の詳細な説明】
【技術分野】
【０００１】
本考案は家具に関し、特に竹材を組み合わせてなるため優れた弾性を有し、人体工学にも符合した弾性椅子に関する。
【背景技術】
【０００２】
どんな種類の材料からなる椅子でも、その構造は、底部と、支持部と、座部とを含む。底部は地面と接触し、座部は、使用者の臀部をその上にのせるために用いられる。支持部は、底部と座部の間に連結され、座部を支持するために用いられる。竹材で作られた椅子の種類は少なくい。しかしながら、それらはいずれも編んで作られ、成型された後の竹製椅子は弾性に乏しく、長時間座っていると不快感が生じやすい。
【考案の概要】
【考案が解決しようとする課題】
【０００３】
そこで、本考案は、人体工学に符合し、優れた弾性をもつため、長時間座っていても疲れにくい竹製弾性椅子を提供することを目的とする。
【課題を解決するための手段】
【０００４】
本考案による竹製弾性椅子は、複数の長い棒状の外側竹材と、複数の長い棒状の内側竹材とによって構成する。前記外側竹材と内側竹材はコ形状を呈し、内側竹材の外周サイズは外側竹材の内周サイズより小さく、外側竹材と内側竹材のコ形の対向する両側辺は、外側方向に凸出する弧形辺を形成し、両側辺が連結する上辺は、内側方向に凹む凹弧面を形成し、前記内側竹材と外側竹材を相互に重ねることで椅子ユニットが形成され、椅子ユニットを平行に配列するとともに、前記内側竹材と外側竹材の間に、複数の長棒状の第一補強部材と複数の長棒状の第二補強部材を設ける。
【図面の簡単な説明】
【０００５】
【図１】本考案の実施例１を示した斜視図である。
【図２】本考案の実施例１を側面から示した平面図である。
【図３】本考案の実施例１の外側竹材が弾性を発揮する状態を示した説明図である。
【図４】本考案の実施例２の背もたれを加えた竹製弾性椅子を示した斜視図である。
【図５】本考案の実施例３の四本脚を設けた竹製弾性椅子を示した平面図である。
【考案を実施するための形態】
【０００６】
（実施例１）
まず、図１と図２を参照する。本考案の実施例１の竹製弾性椅子は、長い棒状の竹材を組み合わせてなり、曲げてコ形状に成型された複数の外側竹材１と、曲げてコ形状に成型された複数の内側竹材２とを備える。内側竹材２の外周サイズは、外側竹材１の内周サイズより小さい。外側竹材１と内側竹材２のコ形の対向する両側辺は、外側方向に凸出する弧形辺を形成し、両側辺が連結する上辺は、内側方向に凹む凹弧面１Ａを形成し、内側竹材２と外側竹材１を相互に重ねることで椅子ユニットが形成される。そして、複数の椅子ユニットを平行に配列し、各椅子ユニットの内側竹材２と外側竹材１の間に複数の長棒状の第一補強部材４Ａと複数の長棒状の第二補強部材４Ｂを穿設すると、第一補強部材４Ａと第二補強部材４Ｂによって、椅子ユニットの外側竹材１と内側竹材２の間に挟層空間３が形成される。その内、第一補強部材４Ａは、内側竹材２と外側竹材１の側辺の上方に近い箇所で且つ角の曲がった位置を超えない箇所に設けられ、粘着剤を用いて貼り合わせるか、或いはほぞ、釘などの固定部材を用いて、第一補強部材４Ａは外側竹材１と内側竹材２に固定される。第二補強部材４Ｂは、内側竹材２と外側竹材１側辺の下端位置に設けられ、粘着剤で貼り合わせるか、或いはほぞ、釘等の固定部材を用いて、第二補強部材４Ｂは外側竹材１と内側竹材２に固定される。それにより、内側竹材２と外側竹材１は、第一補強部材４Ａと第二補強部材４Ｂによって隔てられ同じ幅の挟層空間３が形成される。本考案の第一補強部材４Ａは椅子ユニット上方の角の曲がった位置を超えない箇所に設けられるため、外側竹材１と内側竹材２の二つの凹弧面１Ａの間の挟層空間３によって、外側竹材１に、上下方向の弾性スペースが提供される（図３に図示）。
【０００７】
前述した竹製弾性椅子構造は、外側竹材１の凹弧面１Ａが人体の臀部の弧度に対応しているため、使用者が凹弧面１Ａに座った時、ぴったりフィットする効果を得られる。また、外側竹材１の凹弧面１Ａと内側竹材２の凹弧面の間は、挟層空間３によって上下の弾性スペースが提供されるため、外側竹材１は人体の重量を受けた後に弾性によって下降し、座った際に軟らかい感触を得ることができる。また、椅子の支持脚の両側辺は、外側に凸出した弧形辺であるため、椅子の緩衝作用も提供される。さらに、椅子が突然上から下への衝撃力を受けたとき、凹弧面１Ａの部位が弾性緩衝スペースを備えている以外に、椅子の両側辺は、外側へ弾性拡張する効果をもつため振動を吸収することができ、これが弾性椅子の快適性を向上させる。
【０００８】
（実施例２）
図４は、本考案の竹製弾性椅子の実施例２を示した斜視図である。実施例２は、前述のコ形弾性椅子の構造に加え、さらに椅子の一側辺に背もたれ５が設けられている。背もたれ５は、複数の縦方向竹材５１を平行に配列し、さらに縦方向竹材５１上端に横向きの竹材５２を組み合わせてなる。実施例２は、椅子自体が実施例１の利点をもつ以外に、椅子に座った使用者が背中を背もたれ５にもたれさせることができ、竹材自体の優れた弾性により、もたれた背中を心地よく感じさせることができる効果がある。
【０００９】
（実施例３）
図５は、本考案の竹製弾性椅子の実施例３を示した斜視図である。実施例３は、実施例１のコ形弾性椅子の構造に加え、さらに、椅子の対向する両側に辺縁が弧状の透空空間６が設けられる。二つの透空空間６辺縁の外側竹材と内側竹材の間には、透空空間６辺縁形状に対応する長い棒状の第三補強部材４Ｃが穿設され、二つの第三補強部材４Ｃの一端は椅子後方まで延伸して椅子の二本の後方支持脚Ｂになる。椅子の前方両側の一対の外側竹材と内側竹材は、椅子の二本の前方支持脚Ａを形成する。以上により、四本脚を有する椅子が形成される。第三補強部材４Ｃは、上方に延伸して弧形の背もたれ５Ａを形成し、座った時の使用者の背中は心地よい感触を得ることができる。
【符号の説明】
【００１０】
１      外側竹材
１Ａ    凹弧面
２      内側竹材
３      挟層空間
４Ａ    第一補強部材
４Ｂ    第二補強部材
４Ｃ    第三補強部材
５、５Ａ    背もたれ
５１    縦方向竹材
５２    横向きの竹材
６      透空空間
Ａ      前方支持脚
Ｂ      後方支持脚
【図１】
0003165182.tif 000003
【図２】
0003165182.tif 000004
【図３】
0003165182.tif 000005
【図４】
0003165182.tif 000006
【図５】
0003165182.tif 000007